(57)【要約】  直感的な操作を実現し、ユーザが操作状況を好適に認識することができる携帯端末を提供する。複数のアイコンと、各アイコンが一ずつ対応付けられ、所定の順序で整列された複数のアイコン表示エリア画像とを記憶する記憶部と、複数のアイコン表示エリア画像のうち所定数のアイコン表示エリア画像を、対応付けられたアイコンとともに表示する表示部と、表示部上に設けられた操作面に対して接触する接触物の動作を検出することにより指示を受け付ける入力部と、表示部に表示された一部のアイコン表示エリア画像上の操作面が接触物により接触された状態で、アイコン表示エリア画像の整列の正逆方向に移動する動作を入力部が検出した場合、動作の方向とほぼ直交する軸であってアイコン表示エリア画像に沿う軸回りに、各アイコン表示エリア画像を回転させながら表示部に移動表示させる制御部とを備えた。
2010137121.tif 000002
【特許請求の範囲】
【請求項１】
複数のアイコンと、各前記アイコンが一ずつ対応付けられ、所定の順序で整列された複数の前記アイコン表示エリア画像とを記憶する記憶部と、
複数の前記アイコン表示エリア画像のうち所定数の前記アイコン表示エリア画像を、対応付けられた前記アイコンとともに表示する表示部と、
前記表示部上に設けられた操作面に対して接触する接触物の動作を検出することにより指示を受け付ける入力部と、
前記表示部に表示された一部の前記アイコン表示エリア画像上の前記操作面が前記接触物により接触された状態で、前記アイコン表示エリア画像の整列の正逆方向に移動する動作を前記入力部が検出した場合、前記動作の方向とほぼ直交する軸であって前記アイコン表示エリア画像に沿う軸回りに、各前記アイコン表示エリア画像を回転させながら前記表示部に移動表示させる制御部とを備えたことを特徴とする携帯端末。
【請求項２】
前記記憶部は、各前記アイコンの下位の階層に属する所定数の下位階層アイコンをさらに記憶し、
前記表示部は、上位の階層に位置づけられた前記アイコンが表示された前記アイコン表示エリア画像内に、前記アイコン表示エリア画像が移動表示される際の移動の方向とは異なる方向に沿って第一の数の前記下位階層アイコンを表示する請求項１記載の携帯端末。
【請求項３】
前記制御部は、前記表示部に表示された一の前記アイコン表示エリア画像上の前記操作面が前記接触物により接触された状態で、前記下位階層アイコンが表示された方向に沿って移動する動作を前記入力部が検出した場合、前記操作面を介して接触された前記アイコン表示エリア画像に前記第一の数より大きい第二の数の前記下位階層アイコンを前記表示部に表示させる請求項２記載の携帯端末。
【請求項４】
前記制御部は、前記第二の数の前記下位階層アイコンを前記表示部に表示させた場合、前記アイコン表示エリア画像の移動表示を禁止する請求項３記載の携帯端末。
【請求項５】
前記制御部は、前記第二の数の前記下位階層アイコンを前記表示部に表示させた後、前記入力部が所定の動作を検出した場合、前記第一の数の前記下位階層アイコンを前記表示部に表示させる請求項３記載の携帯端末。
【請求項６】
前記制御部は、前記表示部に表示された一の前記下位階層アイコン上の前記操作面が前記接触物により接触された状態で所定時間経過したことを前記入力部が検出した場合、前記下位階層アイコンを拡大表示させる請求項２または３記載の携帯端末。
【請求項７】
前記制御部は、前記表示部に表示された一の前記下位階層アイコン上の前記操作面が前記接触物により接触された状態で所定時間経過したことを前記入力部が検出した場合、前記下位階層アイコンを拡大表示させる請求項５記載の携帯端末。
【請求項８】
前記制御部は、前記第二の数の前記下位階層アイコンを前記表示部に表示させた後に、前記下位階層アイコンを拡大表示させた場合、前記下位階層アイコンの表示数を前記第一の数に変更する処理を禁止し、前記第一の数の前記下位階層アイコンを前記表示部に表示させた後に、前記下位階層アイコンを拡大表示させた場合、前記下位階層アイコンの表示数を前記第二の数に変更する処理を禁止する請求項７記載の携帯端末。
【請求項９】
前記制御部は、前記下位階層アイコンが拡大表示された場合、前記アイコン表示エリア画像の移動表示を禁止する請求項６〜８のいずれか一項に記載の携帯端末。
【請求項１０】
前記制御部は、前記表示部に表示された前記アイコン表示エリア画像を一つ移動表示させる毎に、前記軸回りに１８０度回転させる請求項１記載の携帯端末。
【発明の詳細な説明】
【技術分野】
【０００１】
本発明は、タッチパッドやタッチパネルなどのポインティングデバイスを備えた携帯端末に関する。
【背景技術】
【０００２】
携帯電話機をはじめとする携帯端末には、ユーザからの操作指示を受け付けるための種々の入力装置が搭載されている。この入力装置のうち、タッチパッドやタッチパネルなどの直感的な動作で操作指示を入力することができるものが知られている。このタッチパッドやタッチパネルは、操作面に対する接触に伴う静電容量や接触圧力の変化を感知するタッチセンサにより得られた入力位置情報に基づいて、操作指示を受け付けるようになっている。【０００３】
携帯端末は、小型化の観点から画像などの表示を行うディスプレイが設けられる領域が制限される。これに伴い、ディスプレイに多くの情報を表示するためには、アイコンなどの画像を小さいサイズで表示することが求められる。【０００４】
表示装置と入力装置が一体となったタッチパネルの場合には、表示された複数のアイコンに対して指などを用いてタッチパネルに指示入力を行う。ユーザにとっては、小さいアイコンの中から所望のアイコンを探し出し、さらにそのアイコンを正確に触れる作業が必要となる。【０００５】
これに対し、従来アイコンの誤選択を防止する一方で、ユーザが少ない時間でアイコン選択できる技術が知られている（例えば、特開２００９−３８５１号公報参照）。【０００６】
タッチパネルは、表示された情報に対して直接触れることにより、指示入力を行うことができる点で、操作性に優れている。また、特開２００９−３８５１号公報に開示された技術のように、ユーザの操作性を向上させる技術も知られている。【０００７】
その一方では、種々の機能を備えた多くの携帯端末が流通する中で、ユーザの趣向も多様化している。このような状況下では、ユーザの操作性のみならずユーザインターエースに創作性を備えた携帯端末が求められている。また、タッチパネルの特徴を生かしたより現実世界の物体に近い写実性のある表現が可能なユーザインターフェースが求められている。【０００８】
発明の開示
本発明はこのような事情を考慮してなされたもので、直感的な操作を実現し、ユーザが操作状況を好適に認識することができる携帯端末を提供することを目的とする。【０００９】
本発明に係る携帯端末は、上述した課題を解決するために、複数のアイコンと、各前記アイコンが一ずつ対応付けられ、所定の順序で整列された複数の前記アイコン表示エリア画像とを記憶する記憶部と、複数の前記アイコン表示エリア画像のうち所定数の前記アイコン表示エリア画像を、対応付けられた前記アイコンとともに表示する表示部と、前記表示部上に設けられた操作面に対して接触する接触物の動作を検出することにより指示を受け付ける入力部と、前記表示部に表示された一部の前記アイコン表示エリア画像上の前記操作面が前記接触物により接触された状態で、前記アイコン表示エリア画像の整列の正逆方向に移動する動作を前記入力部が検出した場合、前記動作の方向とほぼ直交する軸であって前記アイコン表示エリア画像に沿う軸回りに、各前記アイコン表示エリア画像を回転させながら前記表示部に移動表示させる制御部とを備えたことを特徴とする。【００１０】
本発明に係る携帯端末は、直感的な操作を実現し、ユーザが操作状況を好適に認識することができる。
【図面の簡単な説明】
【００１１】
【図１】本発明に係る携帯端末の実施形態を示す外観斜視図である。
【図２】本実施形態における携帯端末の主な機能構成を示す概略的な機能ブロック図である。
【図３】本実施形態における携帯端末のメイン画面例を示す図である。
【図４】ガジェット切替アイコンが表示された場合のメイン画面例を示す図である。
【図５】アイコン表示エリア画像が整列した状態を概念的に示す図である。
【図６】アイコン表示エリア画像のスライド表示例を示す図である。
【図７】サムネイル伸張表示状態時のメイン画面例を示す図である。
【図８】サムネイル通常表示状態時にサムネイルアイコンが拡大表示された場合のメイン画面例を示す図である。
【図９】サムネイル拡張表示状態時にサムネイルアイコンが拡大表示された場合のメイン画面例を示す図である。
【図１０】本実施形態における携帯端末の主制御部により実行される、ガジェットアイコン表示制御処理を説明するフローチャートである。
【図１１】図１０のガジェットアイコン表示制御処理が行われる際のユーザ操作を説明する図である。
【図１２】本実施形態における携帯端末の主制御部により実行される、ガジェット切替アイコン表示制御処理を説明するフローチャートである。
【図１３】図１２のガジェット切替アイコン表示制御処理が行われる際のユーザ操作を説明する図である。
【図１４】本実施形態における携帯端末の主制御部により実行されるガジェット切替アイコン確定指示受付処理を説明するフローチャートである。
【図１５】図１４のガジェット切替アイコン確定指示受付処理が行われる際のユーザ操作を説明する図である。
【図１６】本実施形態における携帯端末の主制御部により実行されるガジェット切替アイコン拡大処理を説明するフローチャートである。
【図１７】図１６のガジェット切替アイコンを拡大表示する際のユーザ操作を説明する図である。
【図１８】図１６のガジェット切替アイコンを拡大表示する際の他のユーザ操作を説明する図である。
【図１９】本実施形態における携帯端末の主制御部により実行されるアイコン表示エリア画像スライド表示処理を説明するフローチャートである。
【図２０】図１９のアイコン表示エリア画像スライド表示処理が行われる際のユーザ操作を説明する図である。
【図２１】スライド操作の有効性を判定するための判定角度を説明する図である。
【図２２】本実施形態における携帯端末の主制御部により実行されるランチャアイコン確定指示受付処理を説明するフローチャートである。
【図２３】図２２のランチャアイコン確定指示受付処理が行われる際のユーザ操作を説明する図である。
【図２４】本実施形態における携帯端末の主制御部により実行されるサムネイル通常表示状態時におけるサムネイルアイコン状態制御処理を説明するフローチャートである。
【図２５】図２４のサムネイルアイコン状態制御処理が行われる際のユーザ操作を説明する図である。
【図２６】本実施形態における携帯端末の主制御部により実行されるサムネイル伸張表示状態時におけるサムネイルアイコン状態制御処理を説明するフローチャートである。
【図２７】図２６のサムネイルアイコン状態制御処理が行われる際のユーザ操作を説明する図である。
【図２８】本実施形態における携帯端末の主制御部により実行されるサムネイル通常表示状態時におけるサムネイルアイコン確定指示受付処理を説明するフローチャートである。
【図２９】図２８のサムネイルアイコン確定指示受付処理が行われる際のユーザ操作を説明する図である。
【図３０】本実施形態における携帯端末の主制御部により実行されるサムネイルアイコン拡大表示処理を説明するフローチャートである。
【図３１】図３０のサムネイルアイコン拡大表示処理が行われる際のユーザ操作を説明する図である。
【図３２】本実施形態における携帯端末の主制御部により実行されるサムネイル通常表示状態時におけるサムネイルアイコン拡大表示中処理を説明するフローチャートである。
【図３３】図３２のサムネイルアイコン拡大表示処理が行われる際のユーザ操作を説明する図である。
【図３４】本実施形態における携帯端末の主制御部により実行されるサムネイル伸張表示状態時におけるサムネイルアイコン拡大表示中処理を説明するフローチャートである。
【図３５】図３４のサムネイルアイコン拡大表示処理が行われる際のユーザ操作を説明する図である。
【発明を実施するための最良の形態】
【００１２】
本発明に係る携帯端末の実施形態を添付図面に基づいて説明する。本発明を適用する携帯端末として、カード型に形成され、ユーザがディスプレイを指で触れることで操作指示を入力することができる携帯端末を例に挙げて説明する。【００１３】
図１は、本発明に係る携帯端末の実施形態を示す外観斜視図である。【００１４】
携帯端末１は、矩形の板状の筐体１１を備える。この筐体１１の一方の表面には、タッチパネル１４が大部分を占めて構成される。【００１５】
このタッチパネル１４は、表示部と入力部との双方の機能を備える。タッチパネル１４は、ディスプレイ（図２のディスプレイ３５）と、上面に複数配置された接触動作を検出するための素子およびさらにその上に積層された透明な操作面（図２のタッチセンサ３３）で構成される。【００１６】
ディスプレイ（表示部）としてのタッチパネル１４は、文字や画像などからなる表示画面を表示する領域を備える。このディスプレイは、例えばＬＣＤ（Ｌｉｑｕｉｄ  Ｃｒｙｓｔａｌ  Ｄｉｓｐｌａｙ）、有機ＥＬ（ＥｌｅｃｔｒｏＬｕｍｉｎｅｓｃｅｎｃｅ）ディスプレイ、無機ＥＬディスプレイで構成される。【００１７】
タッチセンサ（入力部）としてのタッチパネル１４は、操作面に対して接触する接触物の動作を検出することにより指示を受け付ける。接触物としては、例えばユーザの指やスタイラスペンなどが該当する。タッチパネル１４上で接触物の動作を検知する方法には、圧力の変化を感知する感圧式、静電気による電気信号を感知する静電式、その他の方法を適用することができる。接触物の動作は、接触が行われた位置を示す座標の情報で検出される。この情報は、例えばタッチパネル１４の短辺方向および長手方向の二軸上の座標値で表わされる。なお、本実施形態においては、接触物としてユーザの指を適用して説明する。【００１８】
筐体１１の長手方向における対向位置には、音声を出力するためのレシーバ１５と、音声を入力するためのマイクロフォン１６とがそれぞれ配置される。【００１９】
図２は、本実施形態における携帯端末１の主な機能構成を示す概略的な機能ブロック図である。携帯端末１は、主制御部３０、電源回路部３１、入力制御部３２、表示制御部３４、音声制御部３６、通信制御部３７、記憶部３９がバスによって相互に通信可能に接続されて構成されている。【００２０】
主制御部３０は、ＣＰＵ（Ｃｅｎｔｒａｌ  Ｐｒｏｃｅｓｓｉｎｇ  Ｕｎｉｔ）を具備する。主制御部３０は、記憶部３９に記憶された各種プログラムに基づき動作して、携帯端末１の総括的な制御を行う。【００２１】
電源回路部３１は、電力供給源（図示せず）を備える。電源回路部３１は、電源をＯＮする操作に基づいて携帯端末１の電源のＯＮ／ＯＦＦ状態を切り替える。電源回路部３１は、電源がＯＮ状態の場合に電力供給源から各部に対して電力を供給して、携帯端末１を動作可能にする。【００２２】
入力制御部３２はタッチセンサ３３に対する入力インタフェースを備える。入力制御部３２は、所定時間毎にタッチセンサ３３からの検知信号を入力位置の座標を示す情報として受け取り、その入力を示す信号を生成して主制御部３０に伝送する。【００２３】
表示制御部３４はディスプレイ３５に対する表示インタフェースを備える。表示制御部３４は、主制御部３０の制御に基づいて、文書データや画像信号に基づいた画像をディスプレイ３５に表示させる。【００２４】
音声制御部３６は、主制御部３０の制御に基づいて、マイクロフォン１６で集音された音声からアナログ音声信号を生成し、このアナログ音声信号をデジタル音声信号に変換する。また音声制御部３６は、デジタル音声信号を取得すると、主制御部３０の制御に基づいて、このデジタル音声信号をアナログ音声信号に変換し、レシーバ１５から音声として出力する。【００２５】
通信制御部３７は、主制御部３０の制御に基づいて、基地局からアンテナ３８を介して受信した受信信号をスペクトラム逆拡散処理してデータを復元する。このデータは、主制御部３０の指示により、音声制御部３６に伝送されてレシーバ１５から出力されたり、表示制御部３４に伝送されてディスプレイ３５に表示されたり、または記憶部３９に記録されたりする。また通信制御部３７は、主制御部３０の制御に基づいて、マイクロフォン１６で集音された音声データやタッチパネル１４を介して入力されたデータや記憶部３９に記憶されたデータを取得すると、これらのデータに対してスペクトラム拡散処理を行い、基地局に対してアンテナ３８を介して送信する。【００２６】
記憶部３９は、主制御部３０が行う処理についての処理プログラムや処理に必要なデータなどを格納するＲＯＭ（ＲｅａｄＯｎｌｙＭｅｍｏｒｙ）やハードディスク、不揮発性メモリ、データベース、主制御部３０が処理を行う際に使用されるデータを一時的に記憶するＲＡＭ（ＲａｎｄｏｍＡｃｃｅｓｓＭｅｍｏｒｙ）などから構成される。特に、記憶部３９は、本実施形態において主制御部３０により実行される各種処理の処理プログラムを格納する。また記憶部３９は、複数のランチャアイコンと、各ランチャアイコンが一ずつ対応付けられ、所定の順序で整列された複数のランチャアイコン表示エリア画像とを記憶する記憶部として機能する。【００２７】
次に、本実施形態における携帯端末１の表示制御例を説明する。携帯端末１は、特にメイン画面において直感的な操作で、かつ操作性に優れた表示制御を行うようになっている。なお、以下に説明する表示制御例は、携帯端末１のメイン画面に限らずいかなる画面にも用いることができる。【００２８】
まず、携帯端末１により指示入力として検出される、タッチパネル１４の操作面に対するユーザ操作の一例を説明する。【００２９】
携帯端末１が検出するユーザ操作には、タップ操作、リリース操作、短押し操作、長押し操作、スライド操作、フリック操作およびホールド操作がある。【００３０】
「タップ操作」は、ユーザの指によりタッチパネル１４の操作面が接触された場合に検出される操作である。「リリース操作」は、タップ操作により接触された指が操作面より離された場合に検出される操作である。【００３１】
「短押し操作」は、タップ操作が行われた後、所定時間内にリリース操作が検出された場合の操作である。「長押し操作」は、タップ操作が行われた後、所定時間が経過するまでリリース操作が検出されない場合の操作である。長押し操作の判定に用いられる時間は、短押し操作の判定に用いられる時間以上の時間である。【００３２】
「スライド操作」は、タップ操作が行われた後、ユーザの指により操作面に対する接触が維持された状態で、所定速度以下でほぼ一方向に移動された場合に検出される操作である。「フリック操作」は、タップ操作が行われた後、ユーザの指により操作面に対する接触が維持された状態で、所定速度以上でほぼ一方向に移動され、かつリリース操作が検出された場合の操作である。「ホールド操作」は、長押し操作が検出された後であっても、操作面に対する接触が維持された状態である場合に検出される処理である。ホールド操作は、一定箇所に静止している必要はなく、操作面上において移動を伴う操作も含まれる。【００３３】
次に、携帯端末１のメイン画面の構成および主な動作について説明する。【００３４】
図３は、本実施形態における携帯端末１のメイン画面例を示す図である。【００３５】
図４は、ガジェット切替アイコンが表示された場合のメイン画面例を示す図である。【００３６】
携帯端末１のメイン画面は、上ピクト表示エリア４１と、ガジェットアイコンエリア４２と、下ピクト表示エリア４３とを備える。【００３７】
上ピクト表示エリア４１には、携帯端末１の現在の状態を示すピクトアイコン（アンテナの感度のレベルを示すピクトアイコン、外部機器との接続状態を示すピクトアイコンなど）などが表示される。下ピクト表示エリア４３には、音声通話の発信や終了を指示するアイコンが表示される。【００３８】
ガジェットアイコンエリア４２は、上ピクト表示エリア４１と下ピクト表示エリア４３に挟まれて配置される。ガジェットアイコンエリア４２は、主にガジェットエリア４４、ランチャアイコン等表示エリア６１およびガジェット切替アイコン表示エリア４６を備える。【００３９】
ガジェットエリア４４は、主に携帯端末１に格納されたガジェット５０を、タッチパネル１４の図示上部位置に表示するエリアである。ガジェット５０は、メイン画面上で動作する小規模なアクセサリーソフトである。ガジェット５０上には、ガジェット５０に対する指示入力を行うためのガジェット内アイコンとしての設定アイコン５１および表示調整アイコン５２が設けられる。各ガジェット内アイコンは、ガジェット内アイコンエリア５３にそれぞれ表示される。設定アイコン５１は、ガジェット５０に関する各種設定を行う処理を実行するためのアイコンである。表示調整アイコン５２は、ガジェットエリア４４に表示されたガジェット５０の表示に関する調整処理を実行するためのアイコンである。【００４０】
ガジェットエリア４４の図示右位置には、ガジェット切替アイコン表示エリア４６が設けられる。【００４１】
図４に示すように、ガジェット切替アイコン表示エリア４６は、ガジェット切替アイコンエリア４７を所定数（本実施形態においては四個）備える。このガジェット切替アイコン表示エリア４６は、ガジェット切替アイコン４８を表示するためのエリアである。ガジェット切替アイコン４８は、図３に示すメイン画面で、タップ操作が行われることにより表示されるようになっている。【００４２】
ガジェット切替アイコン４８は、ガジェットエリア４４に表示される複数用意されたガジェット５０を、任意に切り替えるために用いられる。携帯端末１は、ユーザにより一のガジェット切替アイコン４８に対する指示入力を受け付けると、指示入力を受け付けたガジェット切替アイコン４８に応じてガジェットエリア４４に表示されるガジェット５０を切り替える。【００４３】
ガジェットアイコンエリア４２には、さらにランチャアイコン等表示エリア６１（以下、端にアイコン表示エリア６１という。）が設けられる。アイコン表示エリア６１は、ガジェットエリア４４およびガジェット切替アイコン表示エリア４６に対して、透過して表示される。アイコン表示エリア６１は、左ランチャアイコン等表示エリア６１ａ、中央ランチャアイコン等表示エリア６１ｂ、右ランチャアイコン等表示エリア６１ｃを備える。以下、各アイコン表示エリア６１ａ、６１ｂ、６１ｃを区別しない場合にはアイコン表示エリア６１という。なお、本実施形態においては、アイコン表示エリア６１が三個設けられる例を説明するが、三個以下または三個より多い数であってもよい。【００４４】
三つのアイコン表示エリア６１は、タッチパネル１４の縦方向に向かってストライプ（縞）状に整列した状態で設けられる。アイコン表示エリア６１には、ランチャアイコン等表示エリア画像６２（以下、単にアイコン表示エリア画像６２という。）が表示される。アイコン表示エリア画像６２には、ランチャアイコン６５が一ずつ対応付けられて表示される。また、アイコン表示エリア画像６２には、各ランチャアイコン６５の下位の階層に属する下位階層アイコンとしてのサムネイルアイコン６８が表示される。【００４５】
携帯端末１は、ランチャアイコン６５の数だけアイコン表示エリア画像６２を保持する。本実施形態においては、後述するランチャアイコン６５が一つずつ対応付けられた八個のアイコン表示エリア画像６２を保持する例を適用して説明する。このアイコン表示エリア画像６２は、アイコン表示エリア６１に表示される順序で整列された状態で記憶部３９に記憶されている。【００４６】
図５は、アイコン表示エリア画像６２が整列した状態を概念的に示す図である。【００４７】
アイコン表示エリア画像６２ａ、６２ｂ、・・・６２ｇ、６２ｈ（特に区別しない場合にはアイコン表示エリア画像６２という。）は、所定の順序で一方向、例えば図示左から右方向に向かって整列している。【００４８】
アイコン表示エリア画像６２は、メイン画面に設けられたアイコン表示エリア６１の数（本実施形態においては三個）だけ一度に表示可能とされる。すなわち、携帯端末１は、連続して整列された三個のアイコン表示エリア画像６２を一度に表示する。例えば、携帯端末１は、アイコン表示エリア画像６２ａ、アイコン表示エリア画像６２ｂ、およびアイコン表示エリア画像６２ｃの三個を表示したり、アイコン表示エリア画像６２ｄ、アイコン表示エリア画像６２ｅ、およびアイコン表示エリア画像６２ｆの三個を表示したりする。【００４９】
このため、携帯端末１は、スライド操作またはフリック操作を受け付けることにより、アイコン表示エリア６１上でアイコン表示エリア画像６２を順次スライド表示させるようになっている。なお、スライド表示は、後述するサムネイル通常表示状態時のみで行われる表示であり、サムネイル伸張表示状態時においては実行されない。【００５０】
図６は、アイコン表示エリア画像６２のスライド表示例を示す図である。【００５１】
図６では説明の便宜上、アイコン表示エリア６１のうち、左アイコン表示エリア６１ａ、中央アイコン表示エリア６１ｂ、右アイコン表示エリア６１ｃおよびアイコン表示エリア画像６２のみを示し、他のエリア、アイコンなどの図示は省略した。【００５２】
図６Ａでは、図５に示すアイコン表示エリア画像６２ａ、アイコン表示エリア画像６２ｂ、アイコン表示エリア画像６２ｃが、それぞれ左アイコン表示エリア６１ａ、中央アイコン表示エリア６１ｂ、右アイコン表示エリア６１ｃに表示されている。【００５３】
図６Ａに示すように、携帯端末１は、例えばアイコン表示エリア画像６２ｂ上に示す地点Ａの操作面がユーザの指により接触された状態で、アイコン表示エリア画像６２の整列の正方向としての矢印Ｘの方向（図示右から左方向）に向かうスライド操作を検出すると、スライド表示を開始する。このとき携帯端末１は、スライド表示の移動方向（矢印Ｘ方向）と直交する軸であって、各アイコン表示エリア画像６２に沿う軸周りに各アイコン表示エリア画像６２を回転させながら移動表示させる。また、携帯端末１は、地点Ａの操作面がユーザの指により接触された状態で、アイコン表示エリア画像６２の整列の逆方向としての矢印Ｘの逆方向（図示左から右方向）に向かうスライド操作を検出すると、スライド表示を開始する。このとき携帯端末１は、スライド表示の移動方向（矢印Ｘ逆方向）と直交する軸であって、各アイコン表示エリア画像６２に沿う軸周りに各アイコン表示エリア画像６２を回転させながら移動表示させる。【００５４】
図６Ｂは、図６Ａの状態から各アイコン表示エリア画像６２が約１５度回転し、かつスライド表示の移動方向に所定距離移動した様子を示す。図６Ｃは、図６Ｂの状態から各アイコン表示エリア画像６２がさらに回転および移動した様子である。また、図６Ｃでは、各アイコン表示エリア画像６２が図６Ａの状態から約８０度回転した様子を示す。【００５５】
図６Ｄは、図６Ｃの状態から各アイコン表示エリア画像６２がさらに回転および移動した様子である。また、図６Ｄでは、各アイコン表示エリア画像６２が図６Ａの状態から約１００度回転した様子を示す。携帯端末１は、図６Ｄで示される各アイコン表示エリア画像６２では、図６Ａ〜図６Ｃで示された面とは反対の面を表示している。【００５６】
図６Ｅは、図６Ｄの状態から各アイコン表示エリア画像６２がさらに回転および移動した様子である。また、図６Ｅでは、各アイコン表示エリア画像６２が図６Ａの状態から約１８０度回転した様子を示す。図６Ｅの各アイコン表示エリア画像６２は、図６Ａのスライド表示開始前の状態から、約１８０度回転し、かつ矢印Ｘ方向隣に位置するアイコン表示エリア６１に移動した。すなわち、図６Ａでアイコン表示エリア６１ａに表示されたアイコン表示エリア画像６２ａが非表示に、アイコン表示エリア６１ｂに表示されたアイコン表示エリア画像６２ｂがアイコン表示エリア６１ａに、アイコン表示エリア６１ｃに表示されたアイコン表示エリア画像６２ｃがアイコン表示エリア６１ｂに表示される。また、図６Ａでは非表示であったアイコン表示エリア画像６２ｄがアイコン表示エリア６１ｃに表示される。【００５７】
以上図６Ａ〜図６Ｅを用いて説明したように、携帯端末１は、アイコン表示エリア画像６２を図６Ａ〜図６Ｅに示すように回転を伴いながら隣のアイコン表示エリア６１に移動表示することにより、スライド表示を実現する。また、アイコン表示エリア６１に整列の順序における端に配置されたアイコン表示エリア画像６２（図５のアイコン表示エリア画像６２ａ、アイコン表示エリア画像６２ｈ）までスライド表示する指示を受け付けた場合には、それ以上のスライド表示は行わず、逆方向にスライド表示する指示を受け付けた場合のみスライド表示を行う。例えば、図５のアイコン表示エリア画像６２ａが表示された場合には、アイコン表示エリア画像６２ｈに向かう方向にスライド表示する指示を受け付けた場合のみスライド表示を行う。【００５８】
また、携帯端末１は、各アイコン表示エリア画像６２が約９０度回転するまでは、スライド表示前に表示されていた側の面にランチャアイコン６５およびサムネイルアイコン６８を表示するが、約９０度回転した後はそれまで表示されていた面とは反対の面にランチャアイコン６５およびサムネイルアイコン６８を表示する。【００５９】
携帯端末１は、スライド操作を受け付けた場合には、操作面に対する指の移動とともにアイコン表示エリア画像６２が動くようなイメージを与えるようにスライド表示を行う。これに対し、携帯端末１は、フリック操作を受け付けた場合には、例えばフリック操作時の操作面に対する接触距離の大小に応じて、例えば一個〜五個の範囲でアイコン表示エリア画像６２をスライド表示させる。【００６０】
図３および図４に示すように、ランチャアイコンエリア６６およびサムネイルアイコンエリア６９は、ガジェットエリア４４の図示下部位置に配置される。また、ランチャアイコンエリア６６およびサムネイルアイコンエリア６９は、アイコン表示エリア画像６２の図示上下方向である長手方向に、上から下に向かって順次配置される。【００６１】
ランチャアイコンエリア６６には、ランチャアイコン６５が表示される。ランチャアイコン６５は、ランチャを利用するためのアイコンである。「ランチャ」は、携帯端末１に設けられた各種機能を、ランチャアイコン６５に対する簡単な指示入力で起動できる機能である。【００６２】
ランチャアイコン６５に割り当てられた各種ランチャには、例えば各種アプリケーションを起動するメニュー画面を起動するためのランチャであるアプリケーションランチャ、携帯端末１に関する各種設定を行うための設定メニュー画面を起動するためのランチャである設定ランチャがある。また、その他ランチャには、動画像再生アプリケーションを起動するための動画像再生ランチャ、Ｗｅｂページを閲覧するためのＷｅｂブラウザランチャ、電子メール、ＳＭＳ（Ｓｈｏｒｔ  Ｍｅｓｓａｇｅ  Ｓｅｒｖｉｃｅ）アプリケーションで利用可能な機能を表示するためのメールランチャがある。さらに、その他のランチャには、電話関連機能で利用可能な機能を表示するための電話ランチャ、携帯端末１に記憶された各種データやデータが格納されたフォルダを参照するためのデータランチャなどがある。【００６３】
ランチャアイコンエリア６６には、さらにサムネイルアイコンエリア６９が設けられる。サムネイルアイコン６８は、ランチャアイコン６５の下位の階層に属する下位階層アイコンとしてのアイコンである。サムネイルアイコン６８は、ランチャアイコン６５の下位の階層に位置づけられたアプリケーションや、データ、フォルダなどを一覧表示するために縮小されたサムネイル画像からなる。【００６４】
サムネイルアイコン６８は、例えばランチャアイコン６５を用いて起動されるアプリケーションで用いられるデータのサムネイル画像である。具体的には、サムネイルアイコン６８は、動画像再生アプリケーションで表示可能な画像のサムネイル画像、データランチャで閲覧可能なデータやフォルダのサムネイル画像などである。また、サムネイルアイコン６８は、例えばＷｅｂブラウザランチャで起動されるＷｅｂブラウザで閲覧される、予め登録されたＷｅｂページのサムネイル画像である。さらに、サムネイルアイコン６８は、例えばランチャアイコン６５を用いて起動される機能の下位の階層に位置づけられた機能を表わすサムネイル画像である。具体的には、サムネイルアイコン６８は、設定ランチャにより表示された設定メニュー画面で実行される設定（例えば音量設定、マナーモード設定、ネットワーク設定）内容を示すサムネイル画像などである。なお、サムネイルアイコン６８は、サムネイル画像で構成されていなくてもよく、ランチャアイコン６５の下位の階層に属するアイコンである下位階層アイコンであればよい。【００６５】
携帯端末１は、このサムネイルアイコン６８を表示する状態として、サムネイル通常表示状態およびサムネイル伸張表示状態の二つの状態を有する。【００６６】
図７は、サムネイル伸張表示状態時のメイン画面例を示す図である。【００６７】
「サムネイル通常表示状態」は、図３および図４に示すように、記憶部３９に記憶されたサムネイルアイコン６８のうち第一の数としての所定数のサムネイルアイコン６８が表示された状態である。携帯端末１は、サムネイル通常表示状態時においてはユーザにより任意に設定されたサムネイルアイコン６８や、使用頻度が高いサムネイルアイコン６８などを表示させる。なお、本実施形態においては、サムネイル通常表示状態においては三個のサムネイルアイコン６８を表示するものとし、以下第一の数として三個を適用して説明する。【００６８】
「サムネイル伸張表示状態」は、図７に示すように、記憶部３９に記憶されたサムネイルアイコン６８のうち第二の数としての所定数のサムネイルアイコン６８が表示された状態である。携帯端末１は、サムネイル伸張表示状態時には、サムネイル通常表示状態で非表示となっていたものを含めたサムネイルアイコン６８が、サムネイルアイコンエリア６９を伸張することにより表示する。なお、本実施形態ではサムネイル伸張表示状態となるアイコン表示エリア６１は、一のエリアに限っているが、その数は適宜変え得る。【００６９】
なお、「第二の数」は、記憶部３９に記憶されたサムネイルアイコン６８の全数であってもよいし、全数よりも少ない数であってもよい。本実施形態においては、サムネイル伸張表示状態においては八個のサムネイルアイコン６８を表示するものとし、以下第二の数として八個を適用して説明する。【００７０】
図３および図４の状態において、携帯端末１は、アイコン表示エリア６１上で図示上方向のスライド操作を検出した場合、サムネイルアイコン６８の表示状態をサムネイル通常表示状態からサムネイル伸張表示状態に原則移行させる。また、携帯端末１は、図７に示すサムネイル伸張表示状態である場合に、スライド操作やタップ操作等を検出した場合には、サムネイルアイコン６８の表示状態をサムネイル通常表示状態に原則移行させる。【００７１】
携帯端末１は、サムネイル通常表示状態時およびサムネイル伸張表示状態時において、サムネイルアイコン６８（サムネイルアイコンエリア６９）を拡大表示させるようになっている。【００７２】
図８は、サムネイル通常表示状態時にサムネイルアイコン６８が拡大表示された場合のメイン画面例を示す図である。【００７３】
図９は、サムネイル拡張表示状態時にサムネイルアイコン６８が拡大表示された場合のメイン画面例を示す図である。【００７４】
携帯端末１は、サムネイル通常表示状態およびサムネイル伸張表示状態において、一のサムネイルアイコン６８が長押し操作されると、そのサムネイルアイコン６８を所定の大きさに拡大表示する。携帯端末１は、サムネイルアイコン６８の長押し操作が継続されている間は、そのサムネイルアイコン６８の拡大表示を維持する。【００７５】
また、図示はしないが、携帯端末１は、ガジェット内アイコン（設定アイコン５１など）およびガジェット切替アイコン４８についても同様に、長押し操作に伴い拡大表示が行われる。【００７６】
次に、上述したメイン画面表示時において携帯端末１上で実行される各種処理について、フローチャートを用いて具体的に説明する。【００７７】
まず、携帯端末１がガジェット５０上に表示された設定アイコン５１などのガジェット内アイコンに対して指示入力を受け付ける際の処理について説明する。なお、本実施形態にはガジェット内アイコンとして上述した設定アイコン５１に対する指示入力を受け付ける場合の表示制御処理例を説明するが、この処理はガジェット５０上に他のアイコンが設けられた場合であってもそのアイコンに適用することができる。【００７８】
図１０は、本実施形態における携帯端末１の主制御部３０により実行される、ガジェットアイコン表示制御処理を説明するフローチャートである。【００７９】
図１１は、図１０のガジェットアイコン表示制御処理が行われる際のユーザ操作を説明する図である。図１１においては、説明の便宜上、ガジェット内アイコンエリア５３のみを図示し、設定アイコン５１の図示を省略した。【００８０】
ステップＳ１において、主制御部３０は、入力制御部３２より受け付ける入力を示す信号に基づき、設定アイコン５１が表示されたガジェット内アイコンエリア５３内においてタップ操作が検出されたか否かの判定を行う。例えば、図１１に示すように、主制御部３０はガジェットアイコン内エリア５３内の地点Ａ１において、タップ操作を検出したか否かの判定を行う。主制御部３０は、ガジェット内アイコンエリア５３内においてタップ操作が検出されていないと判定した場合、検出したと判定されるまで処理を待機する。【００８１】
一方、主制御部３０は、ガジェット内アイコンエリア５３内においてタップ操作が検出されたと判定した場合、ステップＳ２において、設定アイコン５１を拡大表示する。主制御部３０は、設定アイコン５１を表示するガジェット内アイコンエリア５３を拡大し、かつ設定アイコン５１を所定の大きさに拡大表示する。このとき主制御部３０は、ユーザにとっての視認性を改善する目的で設定アイコン５１の拡大表示を行う。例えば、図１１に示すように、主制御部３０はガジェット内アイコンエリア５３をガジェット内アイコンエリア５３ａに拡大し、この拡大されたガジェット内アイコンエリア５３ａに対応して設定アイコン５１を拡大表示する。【００８２】
ステップＳ３において、主制御部３０は、タップ操作に基づき設定アイコン５１に対する選択指示を受け付ける。【００８３】
なお、「選択指示」とは、設定アイコン５１などのアイコンに関連付けられた所定の処理を実行するための前段階の指示である。主制御部３０は、この選択指示を受け付けた後に確定指示としての所定の操作を受け付けた場合に、アイコンに関連付けられた所定の処理を実行する。主制御部３０は、例えば設定アイコン５１に対して確定指示を受け付けた場合には、ガジェットに関する各種設定を行う処理を実行する。主制御部３０は、選択指示を受け付けた場合には、選択指示を受け付けたことをユーザに認識させるために、その選択指示を受け付けた設定アイコン５１や設定アイコン５１が表示されたガジェット内アイコンエリア５３の表示態様を変更するようにしてもよい。例えば、主制御部３０は、設定アイコン５１や設定アイコン５１が表示されたガジェット内アイコンエリア５３の色を変更する。以下、他のアイコンについて「選択指示」、「確定指示」といった場合についても、上述した定義を同様に適用する。【００８４】
ステップＳ４において、主制御部３０は、リリース操作が検出されたか否かの判定を行う。主制御部３０は、リリース操作が検出されていないと判定した場合、リリース操作が検出されるまで処理の実行を待機する。【００８５】
一方、主制御部３０は、リリース操作が検出された場合、ステップＳ５において、リリース操作を受け付けた操作面上の位置が、設定アイコン５１が表示されたガジェット内アイコンエリア５３ａ内であるか否かの判定を行う。主制御部３０は、ガジェット内アイコンエリア５３ａ外でリリース操作を受け付けた場合、ステップＳ６において、選択指示受付ステップＳ３において受け付けた選択指示を無効とする。例えば、図１１に示すように、主制御部３０はガジェット内アイコンエリア５３ａ外に位置する地点Ｂ１でリリース操作を受け付けた場合に、選択指示を無効とする。【００８６】
一方、主制御部３０はガジェット内アイコンエリア５３内でリリース操作を受け付けた場合、ステップＳ７において、設定アイコン５１に関する各種設定を行う処理を実行するための確定指示を受け付ける。例えば、図１１に示すように、主制御部３０はガジェット内アイコンエリア５３ａ内に位置する地点Ｃ１でリリース操作を受け付けた場合に、確定指示を受け付ける。【００８７】
以上で、図１０のガジェットアイコン表示制御処理の説明を終了する。【００８８】
次に、ガジェット切替アイコン４８を表示する際の処理について説明する。【００８９】
図１２は、本実施形態における携帯端末１の主制御部３０により実行される、ガジェット切替アイコン表示制御処理を説明するフローチャートである。【００９０】
図１３は、図１２のガジェット切替アイコン表示制御処理が行われる際のユーザ操作を説明する図である。図１３においては、説明の便宜上、ガジェット切替アイコン表示エリア４６のみを図示し、ガジェット切替アイコン４８の図示を省略した。【００９１】
ステップＳ１１において、主制御部３０は、ガジェット切替アイコン４８が非表示の状態（図３参照）であるか否かの判定を行う。主制御部３０は、ガジェット切替アイコン４８が表示された状態であると判定した場合、ガジェット切替アイコン４８が非表示の状態となるまで処理を待機する。【００９２】
一方、主制御部３０は、ガジェット切替アイコン４８が非表示の状態であると判定した場合、ステップＳ１２において、入力制御部３２より受け付ける入力を示す信号に基づき、ガジェット切替アイコン表示エリア４６内においてタップ操作が検出されたか否かの判定を行う。例えば、図１３に示すように、主制御部３０はガジェット切替アイコン表示エリア４６内の地点Ａ２において、タップ操作を検出したか否かの判定を行う。主制御部３０は、ガジェット切替アイコン表示エリア４６内においてタップ操作が検出されていないと判定した場合、検出したと判定されるまで処理を待機する。【００９３】
一方、主制御部３０は、ガジェット切替アイコン表示エリア４６内においてタップ操作が検出されたと判定した場合、ステップＳ１３において、ガジェット切替アイコンエリア４７を設けてガジェット切替アイコン４８を表示する（図４参照）。【００９４】
以上で、図１２のガジェット切替アイコン表示制御処理の説明を終了する。【００９５】
次に、ガジェット切替アイコン４８に対する指示入力を受け付けた場合に実行される処理について説明する。【００９６】
図１４は、本実施形態における携帯端末１の主制御部３０により実行されるガジェット切替アイコン確定指示受付処理を説明するフローチャートである。【００９７】
図１５は、図１４のガジェット切替アイコン確定指示受付処理が行われる際のユーザ操作を説明する図である。図１５においては、説明の便宜上、ガジェット切替アイコンエリア４７のみを図示し、ガジェット切替アイコン４８の図示を省略した。【００９８】
ステップＳ２１において、主制御部３０は、ガジェット切替アイコン４８が表示（図４参照）されているか否かの判定を行う。主制御部３０は、ガジェット切替アイコン４８が非表示の状態であると判定した場合（図３参照）、ガジェット切替アイコン４８が表示されるまで処理を待機する。【００９９】
一方、主制御部３０は、ガジェット切替アイコン４８が表示された状態であると判定した場合、ステップＳ２２において、入力制御部３２より受け付ける入力を示す信号に基づき、ガジェット切替アイコンエリア４７内においてタップ操作が検出されたか否かの判定を行う。例えば、図１５に示すように、主制御部３０はガジェット切替アイコンエリア４７内の地点Ａ３において、タップ操作を検出したか否かの判定を行う。主制御部３０は、ガジェット切替アイコンエリア４７内においてタップ操作が検出されていないと判定した場合、ガジェット切替アイコンエリア４７内においてタップ操作が検出されたと判定されるまで処理を待機する。【０１００】
一方、主制御部３０は、ガジェット切替アイコンエリア４７内においてタップ操作が検出されたと判定した場合、ステップＳ２３において、短押し操作が検出されたか否かの判定を行う。すなわち、主制御部３０は、タップ操作が行われた後、所定時間内にリリース操作が検出されたか否かの判定を行う。主制御部３０は、短押し操作が検出されていないと判定した場合、処理を終了する。【０１０１】
一方、主制御部３０は、短押し操作が検出されたと判定した場合、ステップＳ２４において、短押し操作に伴うリリース操作を受け付けた操作面上の位置が、タップ操作が行われたガジェット切替アイコンエリア４７内であるか否かの判定を行う。主制御部３０は、ガジェット切替アイコンエリア４７外でリリース操作を受け付けた場合、処理を終了する。例えば、図１５に示すように、主制御部３０はタップ操作が行われたガジェット切替アイコンエリア４７外に位置する地点Ｂ３でリリース操作を受け付けた場合には、ガジェット切替アイコン４８に対する確定指示を受け付けない。【０１０２】
一方、主制御部３０はガジェット切替アイコンエリア４７内でリリース操作を受け付けた場合、ステップＳ２５において、ガジェット切替アイコン４８に対する確定指示を受け付ける。例えば、図１５に示すように、主制御部３０はガジェット切替アイコンエリア４７内に位置する地点Ｃ３や地点Ｄ３でリリース操作を受け付けた場合に、確定指示を受け付ける。主制御部３０は、確定指示を受け付けると、指示入力を受け付けたガジェット切替アイコン４８に応じてガジェットエリア４４に表示されるガジェット５０を切り替える。【０１０３】
以上で、図１４のガジェット切替アイコン確定指示受付処理の説明を終了する。【０１０４】
次に、ガジェット切替アイコン４８を拡大表示する際の処理について説明する。【０１０５】
図１６は、本実施形態における携帯端末１の主制御部３０により実行されるガジェット切替アイコン拡大処理を説明するフローチャートである。【０１０６】
図１７は、図１６のガジェット切替アイコン４８を拡大表示する際のユーザ操作を説明する図である。図１８は、図１６のガジェット切替アイコン４８を拡大表示する際の他のユーザ操作を説明する図である。図１７および図１８においては、説明の便宜上、ガジェット切替アイコンエリア４７のみを図示し、ガジェット切替アイコン４８の図示を省略した。【０１０７】
ステップＳ３１およびＳ３２は、図１４のステップＳ２１およびＳ２２とほぼ同様の処理であるため、説明省略する。【０１０８】
主制御部３０は、ステップＳ３２においてタップ操作が検出されたと判定した場合、ステップＳ３３において、タップ操作が行われたガジェット切替アイコン４８を拡大表示する。このとき主制御部３０は、ユーザにとっての視認性を改善する目的でガジェット切替アイコン４８の拡大表示を行う。例えば、図１７に示すように、主制御部３０はガジェット切替アイコンエリア４７ａをガジェット切替アイコンエリア４７ｂに拡大し、この拡大されたガジェット切替アイコンエリア４７ａに対応してガジェット切替アイコン４８を拡大表示する。【０１０９】
ステップＳ３４において、主制御部３０は、ホールド操作を検出したか否かの判定を行う。すなわち、主制御部３０は、タップ操作が行われた後、ユーザの指により操作面に対する接触が維持された状態が検出されたか否かの判定を行う。なお、ホールド操作は、方向を問わず移動された操作を含む操作である。主制御部３０は、ホールド操作が検出されていないと判定した場合、拡大表示無効ステップＳ３７に進む。【０１１０】
主制御部３０は、ホールド操作が検出されたと判定した場合、ステップＳ３５において、ホールド操作を受け付けた操作面上の位置が、タップ操作が行われたガジェット切替アイコンエリア４７内であるか否かの判定を行う。主制御部３０は、ガジェット切替アイコンエリア４７内におけるホールド操作を受け付けたと判定した場合、拡大表示ステップＳ３３に戻り以降の処理を繰り返す。例えば、図１７に示すように、主制御部３０はタップ操作が行われたガジェット切替アイコンエリア４７ｂ内に位置する地点Ｂ４や地点Ｃ４などでホールド操作を検出した場合には、ガジェット切替アイコンエリア４７ｂの拡大表示を維持する。【０１１１】
一方、主制御部３０は、ホールド操作はタップ操作を受け付けたガジェット切替アイコンエリア４７内ではないと判定した場合、ステップＳ３６において、ホールド操作を受け付けた操作面上の位置が、タップ操作が行われたガジェット切替アイコンエリア４７とは異なる他のガジェット切替アイコンエリア４７内であるか否かの判定を行う。主制御部３０は、他のガジェット切替アイコンエリア４７内でホールド操作を受け付けていないと判定した場合、ステップＳ３７において、拡大表示を無効とする。例えば、図１７に示すように、主制御部３０はタップ操作が行われたガジェット切替アイコンエリア４７ａ内や他のガジェット切替アイコンエリア４７ｃ内ではない地点Ｄ４などでホールド操作を検出した場合には、ガジェット切替アイコンエリア４７の拡大表示を無効とする。【０１１２】
一方、主制御部３０は、他のガジェット切替アイコンエリア４７内でホールド操作を受け付けたと判定した場合、ステップＳ３８において、他のガジェット切替アイコン４８を拡大表示する。例えば、図１８に示すように、主制御部３０はガジェット切替アイコンエリア４７ｃをガジェット切替アイコンエリア４７ｄに拡大し、この拡大されたガジェット切替アイコンエリア４７ｄに対応してガジェット切替アイコン４８を拡大表示する。【０１１３】
主制御部３０は、ステップＳ３８において他のガジェット切替アイコン４８を拡大した場合、ホールド操作検出ステップＳ３４に戻り以降の処理を繰り返す。【０１１４】
以上で、図１６のガジェット切替アイコン拡大表示処理の説明を終了する。【０１１５】
次に、アイコン表示エリア画像６２のスライド表示処理について説明する。【０１１６】
図１９は、本実施形態における携帯端末１の主制御部３０により実行されるアイコン表示エリア画像スライド表示処理を説明するフローチャートである。【０１１７】
図２０は、図１９のアイコン表示エリア画像スライド表示処理が行われる際のユーザ操作を説明する図である。図２０においては、説明の便宜上、ランチャアイコンエリア６６およびサムネイルアイコンエリア６９のみを図示し、ランチャアイコン６５およびサムネイルアイコン６８の図示を省略した。【０１１８】
ステップＳ４１において、主制御部３０は、アイコン表示エリア画像６２のスライド表示が禁止された状態であるか否かの判定を行う。アイコン表示エリア画像６２のスライド表示処理は、後述する図２４のスライド表示禁止ステップＳ６６および図３０のスライド表示禁止ステップＳ９７で実行される。主制御部３０は、スライド表示が禁止された状態であると判定した場合には、処理を終了する。【０１１９】
一方、主制御部３０は、スライド表示が禁止された状態ではないと判定した場合、ステップＳ４２において、主制御部３０はアイコン表示エリア６１内を始点とする横方向のスライド操作またはフリック操作（以下、単にスライド操作という。）を検出したか否かの判定を行う。アイコン表示エリア６１内とは、ガジェットエリア４４、ガジェット切替アイコン表示エリア４６およびランチャアイコンエリア６６を除くエリアである。なお、アイコン表示エリア６１内には、サムネイルアイコンエリア６９は含まれる。サムネイルアイコンエリア６９を始点とするスライド操作を検出した場合には、スライド操作の始点となるサムネイルアイコンエリア６９とは異なるエリアに向かうスライド操作を検出した場合を、有効なスライド操作とする。また、横方向とは、図３に示す左右方向をいう。主制御部３０は、横方向のスライド操作を検出していないと判定した場合、横方向のスライド操作を検出するまで処理を待機する。【０１２０】
一方、主制御部３０は、横方向のスライド操作を検出したと判定した場合、ステップＳ４３において、横方向のスライド操作が判定角度内か否かの判定を行う。【０１２１】
図２１は、スライド操作の有効性を判定するための判定角度を説明する図である。【０１２２】
主制御部３０は、横方向（図示ＲおよびＬ方向）のスライド操作の有効性を判定する際、スライド操作の開始地点Ｏから、角度αの範囲内で移動した場合に、横方向のスライド操作を有効とする。【０１２３】
主制御部３０は、横方向のスライド操作が判定角度内であると判定した場合、ステップＳ４４において、アイコン表示エリア画像６２のスライド表示を行う。例えば、図２０に示すように、主制御部３０は、サムネイルエリア６９ａの地点Ａ５から地点Ｂ５に向かうスライド操作を検出した場合、アイコン表示エリア６１ａの地点Ｃ５からアイコン表示エリア６１ｂの地点Ｄ５に向かうスライド操作を検出した場合、アイコン表示エリア６１ｃの地点Ｅ５からアイコン表示エリア６１ｂの地点Ｆ５に向かうスライド操作を検出した場合に、スライド表示を行う。【０１２４】
一方、主制御部３０は、横方向のスライド操作が判定角度外であると判定した場合、処理を終了する。例えば、図２０に示すように、地点Ｇ５から地点Ｈ５に向かうスライド操作を検出した場合には、スライド操作が判定角度外となるためスライド表示を行わない。【０１２５】
以上で、図１９のアイコン表示エリア画像スライド表示処理の説明を終了する。【０１２６】
次に、ランチャアイコン６５に対する指示入力を受け付けた場合に実行される処理について説明する。【０１２７】
図２２は、本実施形態における携帯端末１の主制御部３０により実行されるランチャアイコン確定指示受付処理を説明するフローチャートである。【０１２８】
図２３は、図２２のランチャアイコン確定指示受付処理が行われる際のユーザ操作を説明する図である。図２２においては、説明の便宜上、ランチャアイコンエリア６６のみを図示し、ランチャアイコン６５の図示を省略した。【０１２９】
ステップＳ５１において、主制御部３０は、入力制御部３２より受け付ける入力を示す信号に基づき、いずれかのランチャアイコンエリア６６内においてタップ操作が検出されたか否かの判定を行う。主制御部３０は、ランチャアイコンエリア６６内においてタップ操作が検出されていないと判定した場合、タップ操作が検出されるまで処理を待機する。【０１３０】
一方、主制御部３０は、ランチャアイコンエリア６６内においてタップ操作が検出されたと判定した場合、ステップＳ５２において、タップ操作に基づきランチャアイコン６５に対する選択指示を受け付ける。【０１３１】
ステップＳ５３において、主制御部３０は、短押し操作または長押し操作が検出されたか否かの判定を行う。すなわち、主制御部３０は、タップ操作が行われた後、所定時間内にリリース操作が検出されたか、またはタップ操作が行われた後、所定時間が経過するまでリリース操作が検出されないか否かの判定を行う。主制御部３０は、短押し操作または長押し操作が検出されないと判定した場合、処理を終了する。【０１３２】
一方、主制御部３０は、短押し操作または長押し操作が検出されたと判定した場合、ステップＳ５４において、短押しまたは長押し操作におけるリリース操作を受け付けた操作面上の位置が、長押し操作におけるタップ操作が行われたランチャアイコンエリア６６内であるか否かの判定を行う。なお、主制御部３０は、長押し操作の判定処理については、長押し操作検出時において検出された指の接触位置がタップ操作が行われたランチャアイコンエリア６６内である場合に、タップ操作が行われたランチャアイコンエリア６６内であると判定する。主制御部３０は、ランチャアイコンエリア６６内でリリース操作を受け付けたと判定した場合、ステップＳ５５において、ランチャアイコン６５に割り当てられた各種処理を実行するための確定指示を受け付ける。例えば、図２３に示すように、主制御部３０はランチャアイコンエリア６６内に位置する地点Ａ６でタップ操作を受け付け、タップ操作を受け付けた地点Ａ６と同じランチャアイコンエリア６６内に位置する地点Ｂ６でリリース操作を受け付けた場合に、確定指示を受け付ける。【０１３３】
一方、主制御部３０は、ランチャアイコンエリア６６内ではなく、ランチャアイコンエリア６６外でリリース操作を受け付けたと判定した場合、確定指示を受け付けることなく処理を終了する。このとき、選択指示受付ステップＳ５２で行われたランチャアイコン６５の選択は、解除される。例えば、図２３に示すように、主制御部３０は、タップ操作を受け付けたランチャアイコンエリア６６とは異なる地点Ｃ６でリリース操作を受け付けたと判定した場合には、確定指示を受け付けることなく処理を終了する。例えば、主制御部３０は、地点Ａ６から図示右方向に位置する地点Ｄ６や、図示上方向に位置する地点Ｅ６に向かうスライド操作が行われることによっても、確定指示を受け付けることなく、選択指示を解除する処理を行う。【０１３４】
以上で、図２２のサムネイルアイコン確定指示受付処理の説明を終了する。【０１３５】
次に、サムネイルアイコン６８を表示する状態がサムネイル通常表示状態からサムネイル伸張表示状態に変化する場合の処理について説明する。【０１３６】
図２４は、本実施形態における携帯端末１の主制御部３０により実行されるサムネイル通常表示状態時におけるサムネイルアイコン状態制御処理を説明するフローチャートである。【０１３７】
図２５は、図２４のサムネイルアイコン状態制御処理が行われる際のユーザ操作を説明する図である。図２５においては、説明の便宜上、ランチャアイコンエリア６６およびサムネイルアイコンエリア６９のみを図示し、ランチャアイコン６５およびサムネイルアイコン６８の図示を省略した。【０１３８】
ステップＳ６１において、主制御部３０は、サムネイルアイコン６８の表示状態がサムネイル通常表示状態であるか否かの判定を行う。主制御部３０は、サムネイルアイコン６８の表示状態がサムネイル通常表示状態ではなく、サムネイル伸張表示状態であると判定した場合、処理を終了する。【０１３９】
一方、主制御部３０は、サムネイルの表示状態がサムネイル通常表示状態であると判定した場合、ステップＳ６２において、サムネイルアイコンエリア６９が拡大表示中であるか否かの判定を行う。主制御部３０は、サムネイルアイコンエリア６９が拡大表示中であると判定した場合、処理を終了する。サムネイルアイコンエリア６９が拡大表示中である場合には、ユーザはサムネイル通常表示状態においてサムネイルアイコン６８を視認している状態であるといえる。このため、携帯端末１は、ステップＳ６３で説明するスライド操作を検出した場合にはこのスライド操作を誤操作とみなすことにより、操作性を高めるようになっている。なお、サムネイルアイコンエリア６９の拡大表示中においては、図３０の状態移行禁止ステップＳ９５においてサムネイルアイコン６８の表示状態の移行が禁止されている。【０１４０】
主制御部３０は、サムネイルアイコンエリア６９が拡大表示中ではないと判定した場合、ステップＳ６３において、主制御部３０はアイコン表示エリア６１内を始点とする上方向のスライド操作またはフリック操作（以下、単にスライド操作という。）を検出したか否かの判定を行う。アイコン表示エリア６１内とは、ガジェットエリア４４、ガジェット切替アイコン表示エリア４６およびランチャアイコンエリア６６を除くエリアである。なお、アイコン表示エリア６１内には、サムネイルアイコンエリア６９は含まれる。サムネイルアイコンエリア６９を始点とするスライド操作を検出した場合には、スライド操作の始点となるサムネイルアイコンエリア６９とは異なるエリアに向かうスライド操作を検出した場合を、有効なスライド操作とする。また、上方向とは、図３に示す上方向をいう。主制御部３０は、上方向のスライド操作を検出していないと判定した場合、上方向のスライド操作を検出するまで処理を待機する。【０１４１】
一方、主制御部３０は、上方向のスライド操作を検出したと判定した場合、ステップＳ６４において、上方向のスライド操作が判定角度内か否かの判定を行う。【０１４２】
図２１に示すように、主制御部３０は、上方向（図示Ｕ方向）のスライド操作の有効性を判定する際、スライド操作の開始地点Ｏから、角度βの範囲内で移動した場合に、上方向のスライド操作を有効とする。【０１４３】
主制御部３０は、上方向のスライド操作が判定角度内であると判定した場合、ステップＳ６５において、スライド操作が行われたアイコン表示エリア６１をサムネイル通常表示状態からサムネイル伸張表示状態に移行する。例えば、図２５に示すように、主制御部３０は、アイコン表示エリア６１の地点Ａ７から地点Ｂ７のスライド操作を検出した場合に、スライド操作が行われたアイコン表示エリア６１をサムネイル通常表示状態からサムネイル伸張表示状態に移行する。【０１４４】
主制御部３０は、上方向のスライド操作が判定角度外であると判定した場合、処理を終了する。例えば、図２５に示すように、アイコン表示エリア６１の地点Ｃ７から地点Ｄ７に向かうスライド操作を受け付けた場合には、サムネイルアイコン６８の表示状態を変えることなく、依然としてサムネイル通常表示状態を維持する。【０１４５】
ステップＳ６６において、主制御部３０は、サムネイル伸張表示状態へ移行し、非表示であったサムネイルアイコン６８を表示させたことに伴い、アイコン表示エリア画像のスライド表示を禁止する。サムネイルアイコン６８が全て表示されている状態においては、ユーザはサムネイル伸張表示状態となっているアイコン表示エリア６１を視認している状態であるといえる。このため、携帯端末１は、図１９で説明したアイコン表示エリア画像６２をスライド表示させるためのスライド操作と同様の操作を検出した場合にはこのスライド操作を誤操作とみなすことにより、操作性を高めるようになっている。【０１４６】
以上で、図２４のサムネイル通常表示状態時におけるサムネイル状態制御処理の説明を終了する。【０１４７】
次に、サムネイルアイコン６８を表示する状態がサムネイル伸張表示状態からサムネイル通常表示状態に変化する場合の処理について説明する。【０１４８】
図２６は、本実施形態における携帯端末１の主制御部３０により実行されるサムネイル伸張表示状態時におけるサムネイルアイコン状態制御処理を説明するフローチャートである。【０１４９】
図２７は、図２６のサムネイルアイコン状態制御処理が行われる際のユーザ操作を説明する図である。図２７においては、説明の便宜上、ランチャアイコンエリア６６およびサムネイルアイコンエリア６９のみを図示し、ランチャアイコン６５およびサムネイルアイコン６８の図示を省略した。【０１５０】
ステップＳ７１において、主制御部３０は、サムネイルアイコン６８の表示状態がサムネイル伸張表示状態であるか否かの判定を行う。主制御部３０は、サムネイルアイコン６８の表示状態がサムネイル伸張表示状態ではなく、サムネイル通常表示状態であると判定した場合、処理を終了する。【０１５１】
一方、主制御部３０は、サムネイルアイコン６８の表示状態がサムネイル伸張表示状態であると判定した場合、ステップＳ７２において、サムネイルアイコン６８が拡大表示中であるか否かの判定を行う。主制御部３０は、サムネイルアイコン６８が拡大表示中であると判定した場合、処理を終了する。サムネイルアイコン６８が拡大表示中である場合には、ユーザはサムネイル伸張表示状態においてサムネイルアイコン６８を視認している状態であるといえる。このため、携帯端末１は、ステップＳ７３およびＳ７４で説明するスライド操作を検出した場合にはこのスライド操作を誤操作とみなすことにより、操作性を高めるようになっている。なお、サムネイルアイコンエリア６９の拡大表示中においては、図３０の状態移行禁止ステップＳ９５においてサムネイルアイコン６８の表示状態の移行が禁止されている。【０１５２】
主制御部３０は、サムネイルアイコン６８が拡大表示中ではないと判定した場合、ステップＳ７３において、主制御部３０は、サムネイル伸張表示状態ではないアイコン表示エリア６１内においてタップ操作が行われたか否かの判定を行う。主制御部３０は、サムネイル伸張表示状態ではないアイコン表示エリア６１内においてタップ操作が行われたと判定した場合、状態移行ステップＳ７６に進む。例えば、図２７に示すように、主制御部３０は、サムネイル伸張表示状態ではないアイコン表示エリア６１内の地点Ａ８においてタップ操作が行われた場合には、状態移行ステップＳ７６に進む。【０１５３】
一方、主制御部３０は、サムネイル伸張表示状態ではないアイコン表示エリア６１においてタップ操作が行われていないと判定した場合、ステップＳ７４において、サムネイル伸張表示状態となっているアイコン表示エリア６１内を始点とする下方向のスライド操作またはフリック操作（以下、単にスライド操作という。）を検出したか否かの判定を行う。なお、アイコン表示エリア６１内には、サムネイルアイコンエリア６９は含まれる。サムネイルアイコンエリア６９を始点とするスライド操作を検出した場合には、スライド操作の始点となるサムネイルアイコンエリア６９とは異なるエリアに向かうスライド操作を検出した場合を、有効なスライド操作とする。また、下方向とは、図７に示す下方向をいう。主制御部３０は、下方向のスライド操作を検出していないと判定した場合、下方向のスライド操作を検出するまで処理を待機する。【０１５４】
一方、主制御部３０は、下方向のスライド操作を検出したと判定した場合、ステップＳ７５において、下方向のスライド操作が判定角度内か否かの判定を行う。【０１５５】
図２１に示すように、主制御部３０は、下方向（図示Ｂ方向）のスライド操作の有効性を判定する際、スライド操作の開始地点Ｏから、角度γの範囲内で移動した場合に、下方向のスライド操作を有効とする。【０１５６】
主制御部３０は、下方向のスライド操作が判定角度内であると判定した場合、ステップＳ７６において、サムネイル伸張表示状態となっているアイコン表示エリア６１を、サムネイル通常表示状態に移行する。例えば、図２７に示すように、主制御部３０は、伸張表示状態となっているアイコン表示エリア６１の地点Ｂ８から地点Ｃ８のスライド操作を検出した場合に、このアイコン表示エリア６１をサムネイル伸張表示状態からサムネイル通常表示状態に移行する。【０１５７】
主制御部３０は、下方向のスライド操作が判定角度外であると判定した場合、処理を終了する。例えば、図２７に示すように、アイコン表示エリア６１の地点Ｄ８から地点Ｅ８に向かうスライド操作を受け付けた場合には、サムネイルアイコン６８の表示状態を変えることなく、依然としてサムネイル伸張表示状態を維持する。【０１５８】
ステップＳ７７において、主制御部３０は、サムネイル通常表示状態へ移行したことに伴い、アイコン表示エリア画像のスライド表示の禁止を解除する。【０１５９】
以上で、図２６のサムネイル伸張表示状態時におけるサムネイル状態制御処理の説明を終了する。【０１６０】
次に、サムネイルアイコン６８に対する指示入力を受け付けた場合に実行される処理について説明する。【０１６１】
図２８は、本実施形態における携帯端末１の主制御部３０により実行されるサムネイルアイコン確定指示受付処理を説明するフローチャートである。【０１６２】
図２９は、図２８のサムネイルアイコン確定指示受付処理が行われる際のユーザ操作を説明する図である。図２９においては、説明の便宜上、サムネイルアイコンエリア６９のみを図示し、サムネイルアイコン６８の図示を省略した。【０１６３】
ステップＳ８１において、主制御部３０は、入力制御部３２より受け付ける入力を示す信号に基づき、いずれかのサムネイルアイコンエリア６９内においてタップ操作が検出されたか否かの判定を行う。ここで、主制御部３０は、サムネイル通常表示状態である場合には全てのサムネイルアイコンエリア６９でタップ操作を検出するが、サムネイル伸張表示状態である場合にはサムネイル伸張表示状態となっているアイコン表示エリア６１内のサムネイルアイコンエリア６９のみのタップ操作を、図２８のサムネイルアイコン確定指示受付処理におけるタップ操作と認識するものとする。主制御部３０は、サムネイルアイコンエリア６９内においてタップ操作が検出されていないと判定した場合、タップ操作が検出されるまで処理を待機する。【０１６４】
一方、主制御部３０は、サムネイルアイコンエリア６９内においてタップ操作が検出されたと判定した場合、ステップＳ８２において、タップ操作に基づきサムネイルアイコン６８に対する選択指示を受け付ける。【０１６５】
ステップＳ８３において、主制御部３０は、短押し操作が検出されたか否かの判定を行う。すなわち、主制御部３０は、タップ操作が行われた後、所定時間内にリリース操作が検出されたか否かの判定を行う。主制御部３０は、短押し操作が検出されないと判定した場合、処理を終了する。【０１６６】
一方、主制御部３０は、短押し操作が検出されたと判定した場合、ステップＳ８４において、短押し操作におけるリリース操作を受け付けた操作面上の位置が、タップ操作が行われたサムネイルアイコンエリア６９内であるか否かの判定を行う。主制御部３０は、サムネイルアイコンエリア６９内でリリース操作を受け付けたと判定した場合、ステップＳ８５において、サムネイルアイコン６８に割り当てられた各種処理を実行するための確定指示を受け付ける。例えば、図２９に示すように、主制御部３０は、サムネイルアイコンエリア６９内の地点Ａ９でタップ操作を受け付けた後、同じサムネイルアイコンエリア６９内に位置する地点Ｂ９や地点Ｃ９でリリース操作を受け付けた場合に、確定指示を受け付ける。【０１６７】
一方、主制御部３０は、サムネイルアイコンエリア６９内ではなく、サムネイルアイコンエリア６９外でリリース操作を受け付けたと判定した場合、確定指示を受け付けることなく処理を終了する。このとき、選択指示受付ステップＳ８２で行われたサムネイルアイコン６８の選択は、解除される。例えば、図２９に示すように、地点Ｄ９でリリース操作を受け付けたと判定した場合には、確定指示を受け付けることなく処理を終了する。【０１６８】
以上で、図２８のサムネイルアイコン確定指示受付処理の説明を終了する。【０１６９】
次に、サムネイル通常表示状態時におけるサムネイルアイコン６８の拡大表示処理を説明する。【０１７０】
図３０は、本実施形態における携帯端末１の主制御部３０により実行されるサムネイルアイコン拡大表示処理を説明するフローチャートである。【０１７１】
図３１は、図３０のサムネイルアイコン拡大表示処理が行われる際のユーザ操作を説明する図である。図３１においては、説明の便宜上、サムネイルアイコンエリア６９のみを図示し、サムネイルアイコン６８の図示を省略した。【０１７２】
ステップＳ９１において、主制御部３０は、サムネイルアイコンエリア６９が拡大表示中であるか否かの判定を行う。主制御部３０は、サムネイルアイコンエリア６９が拡大表示中であると判定した場合、処理を終了する。【０１７３】
一方、主制御部３０は、サムネイルアイコンエリア６９が拡大表示中ではないと判定した場合、ステップＳ９２において、いずれかのサムネイルアイコンエリア６９において長押し操作が検出されたか否かの判定を行う。主制御部３０は、サムネイルアイコンエリア６９において長押し操作が検出されないと判定した場合、長押し操作が検出されるまで処理を待機する。ここで、主制御部３０は、サムネイル通常表示状態である場合には全てのサムネイルアイコンエリア６９で長押し操作を検出するが、サムネイル伸張表示状態である場合にはサムネイル伸張表示状態となっているアイコン表示エリア６１内のサムネイルアイコンエリア６９のみの長押し操作を、図３０のサムネイルアイコン拡大表示処理における長押し操作と認識するものとする。【０１７４】
一方、主制御部３０は、サムネイルアイコンエリア６９において長押し操作が検出されたと判定した場合、ステップＳ９３において、長押し操作検出時において検出された指の接触位置が、長押し操作におけるタップ操作が行われたサムネイルアイコンエリア６９内であるか否かの判定を行う。主制御部３０は、長押し操作検出時における指の接触位置が、長押し操作におけるタップ操作が行われたサムネイルアイコンエリア６９内ではなく他のサムネイルアイコンエリア６９内であると判定した場合、処理を終了する。例えば図３１に示すように、地点Ａ１０でタップ操作が行われて長押し操作が検出された時、この地点Ａ１０が含まれるサムネイルアイコンエリア６９外のエリアに位置する地点Ｂ１０で指の接触位置が検出された場合には、サムネイルアイコンエリア６９の拡大表示を行うことなく処理を終了する。【０１７５】
一方、主制御部３０は、長押し操作検出時における指の接触位置が、長押し操作におけるタップ操作が行われたサムネイルアイコンエリア６９内であると判定した場合、ステップＳ９４において、長押し操作を受け付けたサムネイルアイコンエリア６９を拡大し、この拡大されたサムネイルアイコンエリア６９に対応してサムネイルアイコン６８を拡大表示する。例えば図３１に示すように、地点Ａ１０でタップ操作が行われて長押し操作が検出された時、この地点Ａ１０が含まれるサムネイルアイコンエリア６９内のエリアに位置する地点Ｃ１０で指の接触位置が検出された場合には、サムネイルアイコンエリア６９をサムネイルアイコンエリア６９ａのように拡大表示を行う。【０１７６】
ステップＳ９５において、主制御部３０は、サムネイル通常表示状態とサムネイル伸張表示状態との間の移行を禁止する。すなわち、主制御部３０は、現在サムネイル通常表示状態である場合には、サムネイル伸張表示状態に移行する処理を禁止し、サムネイル伸張表示状態である場合には、サムネイル通常表示状態に移行する処理を禁止する。サムネイルアイコンエリア６９が拡大された場合には、ユーザは拡大表示されているサムネイルアイコンエリア６９を視認している状態であるといえる。このため、携帯端末１は、図２４および図２６で説明したアイコン表示エリア６１のサムネイルアイコン６８の表示状態を遷移させるスライド操作と同様の操作を検出した場合にはこのスライド操作を誤操作とみなすことにより、操作性を高めるようになっている。【０１７７】
ステップＳ９６において、主制御部３０は、サムネイル通常表示状態であるか否かの判定を行う。主制御部３０は、サムネイル通常表示状態ではなく、サムネイル伸張表示状態であると判定した場合、処理を終了する。【０１７８】
一方、主制御部３０は、サムネイル通常表示状態であると判定した場合、ステップＳ９７において、サムネイル通常表示状態時に有効であるアイコン表示エリア画像６２のスライド表示を禁止する。サムネイルアイコンエリア６９が拡大表示されている状態においては、ユーザは拡大表示されているサムネイルアイコンエリア６９を視認している状態であるといえる。このため、携帯端末１は、図１９で説明したアイコン表示エリア画像６２をスライド表示させるためのスライド操作と同様の操作を検出した場合にはこのスライド操作を誤操作とみなすことにより、操作性を高めるようになっている。【０１７９】
以上で、図３１のサムネイルアイコン拡大表示処理の説明を終了する。【０１８０】
次に、サムネイル通常表示状態時におけるサムネイルアイコン６８が拡大表示された場合に行われる処理について説明する。【０１８１】
図３２は、本実施形態における携帯端末１の主制御部３０により実行されるサムネイル通常表示状態時におけるサムネイルアイコン拡大表示中処理を説明するフローチャートである。【０１８２】
図３３は、図３２のサムネイルアイコン拡大表示処理が行われる際のユーザ操作を説明する図である。図３３においては、説明の便宜上、サムネイルアイコンエリア６９のみを図示し、サムネイルアイコン６８の図示を省略した。【０１８３】
ステップＳ１０１において、主制御部３０は、サムネイル通常表示状態であるか否かの判定を行う。主制御部３０は、サムネイル通常表示状態ではなく、サムネイル伸張表示状態であると判定した場合、処理を終了する。【０１８４】
一方、主制御部３０は、サムネイル通常表示状態であると判定した場合、ステップＳ１０２において、サムネイルアイコンエリア６９が拡大表示中であるか否かの判定を行う。サムネイルアイコンエリア６９が拡大表示中である場合は、図３０のサムネイル拡大表示処理が実行され、一のサムネイルアイコンエリア６９が拡大表示されている場合である。主制御部３０は、サムネイルアイコンエリア６９が拡大表示されていないと判定した場合、処理を終了する。【０１８５】
一方、主制御部３０は、サムネイルアイコンエリア６９が拡大表示されていると判定した場合、ステップＳ１０３において、リリース操作が検出されたか否かの判定を行う。主制御部３０は、リリース操作が検出されたと判定した場合、ステップＳ１０４において、サムネイルアイコンエリア６９の拡大表示を解除する。【０１８６】
ステップＳ１０５において、主制御部３０は、図３１のアイコン拡大表示処理のサムネイル表示状態移行禁止ステップＳ９５におけるサムネイルアイコン６８の表示状態の移行禁止、およびスライド表示禁止ステップＳ９７におけるアイコン表示エリア画像６２のスライド表示禁止を解除する。【０１８７】
一方、主制御部３０は、リリース操作検出判定ステップＳ１１３においてリリース操作が検出されないと判定した場合、ステップＳ１０６において、スライド操作を検出したか否かの判定を行う。主制御部３０は、スライド操作を検出していないと判定した場合、リリース操作検出判定ステップＳ１０３に戻り以降の処理を繰り返す。【０１８８】
一方、主制御部３０は、スライド操作を検出したと判定した場合、ステップＳ１０７において、スライド操作が拡大表示中のサムネイルアイコンエリア６９外に移動したか否かの判定を行う。主制御部３０は、スライド操作が拡大表示中のサムネイルアイコンエリア６９外に移動していないと判定した場合、リリース操作検出判定ステップＳ１０３に戻り以降の処理を繰り返す。例えば、図３３に示すように、拡大表示中のサムネイルアイコンエリア６９ａ内の地点Ａ１１から、同サムネイルアイコンエリア６９ａ内の地点Ｂ１１にスライド操作が行われた場合には、スライド操作が拡大表示中のサムネイルアイコンエリア６９ａ外に移動していないため、依然としてサムネイルアイコンエリア６９ａの拡大表示を維持する。【０１８９】
一方、主制御部３０は、サムネイルアイコンエリア６９外に移動したと判定した場合、ステップＳ１０８において、他のサムネイルアイコンエリア６９に到達したスライド操作を検出したか否かの判定を行う。なお、サムネイルアイコンエリア６９の拡大表示後、依然としてユーザの指は操作面に接触した状態が継続している。主制御部３０は、他のサムネイルアイコンエリア６９に到達するスライド操作を検出していないと判定した場合、ステップＳ１０９においてサムネイルアイコンエリア６９の拡大表示を一時解除する。すなわち、サムネイルアイコンエリア６９の拡大表示後、依然としてユーザの指は操作面に接触した状態が継続しているが、拡大表示中のサムネイルアイコンエリア６９は存在しない状態である。主制御部３０は、拡大表示一時解除ステップＳ１０９の後、リリース操作検出判定ステップＳ１０３に戻り以降の処理を繰り返す。例えば、図３３に示すように、拡大表示中のサムネイルアイコンエリア６９ａ内の地点Ａ１１から、サムネイルアイコンエリア６９外の地点Ｃ１１にスライド操作が行われた場合には、いずれのサムネイルアイコンエリア６９の拡大表示も行わない拡大表示の一時解除の状態となる。【０１９０】
一方、主制御部３０は、他のサムネイルアイコンエリア６９に到達するスライド操作を検出したと判定した場合、ステップＳ１１０において、スライド操作が到達された他のサムネイルアイコンエリア６９の拡大表示を行う。例えば、図３３に示すように、拡大表示中のサムネイルアイコンエリア６９ａ内の地点Ｂ１１から、他のサムネイルアイコンエリア６９ｂ内の地点Ｄ１１に到達するスライド操作が検出された場合、携帯端末１は、拡大表示を行うサムネイルアイコンエリア６９をサムネイルアイコンエリア６９ａからサムネイルアイコンエリア６９ｂに切り替える。また、拡大表示中のサムネイルアイコンエリア６９ａ内の地点Ｂ１１から、他のサムネイルアイコンエリア６９ｃ内の地点Ｅ１１を経由してさらに別のサムネイルアイコンエリア６９ｂ内の地点Ｄ１１に到達するスライド操作が検出された場合には、サムネイルアイコンエリア６９ａからスライド操作により経由されたサムネイルアイコンエリア６９ｃに拡大表示を切り替えた後に、最終的に到達されたサムネイルアイコンエリア６９ｂに拡大表示を切り替える。なお、スライド操作がいずれのサムネイルアイコンエリア６９にも属していない場合には、一時解除ステップＳ１０９で説明したように、サムネイルアイコンエリア６９の拡大表示は一時解除される。例えば、地点Ｂ１１から地点Ｄ１１に向かうスライド操作中における、サムネイルアイコンエリア６９ａにもサムネイルアイコンエリア６９ｂにも属さない場合である。【０１９１】
携帯端末１は、拡大表示ステップＳ１１０の後、再びリリース操作検出判定ステップＳ１０３に戻り、以降の処理を繰り返す。【０１９２】
以上で、図３２のサムネイル通常表示状態時におけるサムネイルアイコン拡大表示中処理の説明を終了する。【０１９３】
次に、サムネイル伸張表示状態時におけるサムネイルアイコン６８が拡大表示された場合に行われる処理について説明する。【０１９４】
図３４は、本実施形態における携帯端末１の主制御部３０により実行されるサムネイル伸張表示状態時におけるサムネイルアイコン拡大表示中処理を説明するフローチャートである。【０１９５】
図３５は、図３４のサムネイルアイコン拡大表示処理が行われる際のユーザ操作を説明する図である。図３５においては、説明の便宜上、サムネイルアイコンエリア６９のみを図示し、サムネイルアイコン６８の図示を省略した。【０１９６】
ステップＳ１１１において、主制御部３０は、サムネイル伸張表示状態であるか否かの判定を行う。主制御部３０は、サムネイル伸張表示状態ではなく、サムネイル通常表示状態であると判定した場合、処理を終了する。【０１９７】
一方、主制御部３０は、サムネイル伸張表示状態であると判定した場合、ステップＳ１１２において、サムネイルアイコンエリア６９が拡大表示中であるか否かの判定を行う。拡大表示中判定ステップＳ１１２〜拡大表示解除ステップＳ１１４は、図３２のサムネイル通常表示状態時におけるサムネイルアイコン拡大表示中処理の拡大表示中判定ステップＳ１０２〜拡大表示解除ステップＳ１０４の処理とほぼ同様であるため、説明を省略する。【０１９８】
ステップＳ１１５において、主制御部３０は、図３１のアイコン拡大表示処理のサムネイル表示状態移行禁止ステップＳ９５におけるサムネイルアイコン６８の表示状態の移行禁止を解除する。【０１９９】
一方、主制御部３０は、リリース操作検出判定ステップＳ１１３においてリリース操作が検出されないと判定した場合、ステップＳ１１６において、スライド操作を検出したか否かの判定を行う。主制御部３０は、スライド操作を検出していないと判定した場合、リリース操作検出判定ステップＳ１１３に戻り以降の処理を繰り返す。【０２００】
一方、主制御部３０は、スライド操作を検出したと判定した場合、ステップＳ１１７において、スライド操作が拡大表示中のサムネイルアイコンエリア６９外に移動したか否かの判定を行う。主制御部３０は、スライド操作が拡大表示中のサムネイルアイコンエリア６９外に移動していないと判定した場合、リリース操作検出判定ステップＳ１１３に戻り以降の処理を繰り返す。例えば、図３５に示すように、拡大表示中のサムネイルアイコンエリア６９ａ内の地点Ａ１２から、同サムネイルアイコンエリア６９ａ内の地点Ｂ１２にスライド操作が行われた場合には、スライド操作が拡大表示中のサムネイルアイコンエリア６９ａ外に移動していないため、依然としてサムネイルアイコンエリア６９ａの拡大表示を維持する。【０２０１】
一方、主制御部３０は、サムネイルアイコンエリア６９外に移動したと判定した場合、ステップＳ１１８において、サムネイル伸張表示状態であるアイコン表示エリア６１内の他のサムネイルアイコンエリア６９に到達したスライド操作を検出したか否かの判定を行う。なお、サムネイルアイコンエリア６９の拡大表示後、依然としてユーザの指は操作面に接触した状態が継続している。主制御部３０は、サムネイル伸張表示状態となっているアイコン表示エリア６１内の他のサムネイルアイコンエリア６９に到達するスライド操作を検出していないと判定した場合、ステップＳ１１９においてサムネイルアイコンエリア６９の拡大表示を一時解除する。すなわち、サムネイルアイコンエリア６９の拡大表示後、依然としてユーザの指は操作面に接触した状態が継続しているが、拡大表示中のサムネイルアイコンエリア６９は存在しない状態である。主制御部３０は、拡大表示一時解除ステップＳ１１９の後、リリース操作検出判定ステップＳ１１３に戻り以降の処理を繰り返す。例えば、図３５に示すように、拡大表示中のサムネイルアイコンエリア６９ａ内の地点Ｂ１２から、同サムネイルアイコンエリア６９外の地点Ｃ１２にスライド操作が行われた場合には、サムネイルアイコンエリア６９ａの拡大表示を解除し、いずれのサムネイルアイコンエリア６９の拡大表示も行わない拡大表示の一時解除の状態となる。【０２０２】
一方、主制御部３０は、サムネイル伸張表示状態となっているアイコン表示エリア６１内の他のサムネイルアイコンエリア６９に到達するスライド操作を検出したと判定した場合、ステップＳ１２０において、現在拡大表示中のサムネイルアイコンエリア６９から、スライド操作が到達された他のサムネイルアイコンエリア６９に拡大表示を切り替える。例えば、図３５に示すように、拡大表示中のサムネイルアイコンエリア６９ａ内の地点Ａ１２から、他のサムネイルアイコンエリア６９ｂ内の地点Ｄ１２に到達するスライド操作が検出された場合、携帯端末１はサムネイルアイコンエリア６９ａからサムネイルアイコンエリア６９ｂに拡大表示を切り替える。【０２０３】
携帯端末１は、拡大表示ステップＳ１２０の後、再びリリース操作検出判定ステップＳ１１３に戻り、以降の処理を繰り返す。なお、図３４の伸張表示状態時におけるサムネイルアイコン拡大表示中処理においても、スライド操作がいずれのサムネイルアイコンエリア６９にも属していない場合には、一時解除ステップＳ１１９で説明したように、サムネイルアイコンエリア６９の拡大表示は一時解除される。【０２０４】
以上で、図３４のサムネイル伸張表示状態時におけるサムネイルアイコン拡大表示中処理の説明を終了する。【０２０５】
この携帯端末１によれば、直感的な操作を実現し、ユーザが操作状況を好適に認識することができる。特に、アイコン表示エリア画像６２のスライド表示を可能としたことで、ユーザの操作性のみならず、直感的な操作で創作性のあるユーザインターフェースを実現することができる。【０２０６】
さらに、携帯端末１は、アイコン表示エリア画像６２のスライド表示を、サムネイル伸張表示状態時や、サムネイルアイコンエリア６９の拡大表示時については禁止した。また、サムネイルアイコンエリア６９の拡大表示時については、サムネイル表示状態の移行を禁止した。このため、携帯端末１は、直感的な操作を実現するとともに、ユーザの意図しない誤操作に基づく不要な表示処理を好適に抑制することができる。【０２０７】
本発明に係る携帯端末は、携帯電話機、ＰＤＡ（ＰｅｒｓｏｎａｌＤｉｇｉｔａｌＡｓｓｉｓｔａｎｔ）、パーソナルコンピュータ、携帯型ゲーム機、携帯型音楽再生機、携帯型動画再生機、その他の携帯端末にも適用することができる。【０２０８】
また、本発明の実施形態において説明した一連の処理は、ソフトウェアにより実行させることもできるが、ハードウェアにより実行させることもできる。【０２０９】
さらに、本発明の実施形態では、フローチャートのステップは、記載された順序に沿って時系列的に行われる処理例を示したが、必ずしも時系列的に処理されなくとも、並列的あるいは個別実行される処理をも含むものである。
【図１】
2010137121.tif 000003
【図２】
2010137121.tif 000004
【図３】
2010137121.tif 000005
【図４】
2010137121.tif 000006
【図５】
2010137121.tif 000007
【図６】
2010137121.tif 000008
【図７】
2010137121.tif 000009
【図８】
2010137121.tif 000010
【図９】
2010137121.tif 000011
【図１０】
2010137121.tif 000012
【図１１】
2010137121.tif 000013
【図１２】
2010137121.tif 000014
【図１３】
2010137121.tif 000015
【図１４】
2010137121.tif 000016
【図１５】
2010137121.tif 000017
【図１６】
2010137121.tif 000018
【図１７】
2010137121.tif 000019
【図１８】
2010137121.tif 000020
【図１９】
2010137121.tif 000021
【図２０】
2010137121.tif 000022
【図２１】
2010137121.tif 000023
【図２２】
2010137121.tif 000024
【図２３】
2010137121.tif 000025
【図２４】
2010137121.tif 000026
【図２５】
2010137121.tif 000027
【図２６】
2010137121.tif 000028
【図２７】
2010137121.tif 000029
【図２８】
2010137121.tif 000030
【図２９】
2010137121.tif 000031
【図３０】
2010137121.tif 000032
【図３１】
2010137121.tif 000033
【図３２】
2010137121.tif 000034
【図３３】
2010137121.tif 000035
【図３４】
2010137121.tif 000036
【図３５】
2010137121.tif 000037
【手続補正書】
【提出日】平成23年11月22日(2011.11.22)
【手続補正１】
【補正対象書類名】特許請求の範囲
【補正対象項目名】全文
【補正方法】変更
【補正の内容】
【特許請求の範囲】
【請求項１】
複数のアイコンと、各前記アイコンが一ずつ対応付けられ、所定の順序で整列された複数の前記アイコン表示エリア画像とを記憶する記憶部と、
複数の前記アイコン表示エリア画像のうち所定数の前記アイコン表示エリア画像を、対応付けられた前記アイコンとともに表示する表示部と、
前記表示部上に設けられた操作面に対して接触する接触物の動作を検出することにより指示を受け付ける入力部と、
前記表示部に表示された一部の前記アイコン表示エリア画像上の前記操作面が前記接触物により接触された状態で、前記アイコン表示エリア画像の整列の正逆方向に移動する動作を前記入力部が検出した場合、前記動作の方向とほぼ直交する軸であって前記アイコン表示エリア画像に沿う軸回りに、各前記アイコン表示エリア画像を回転させながら前記表示部に移動表示させる制御部と
を備えたことを特徴とする携帯端末。
【請求項２】
前記記憶部は、各前記アイコンの下位の階層に属する所定数の下位階層アイコンをさらに記憶し、
前記表示部は、上位の階層に位置づけられた前記アイコンが表示された前記アイコン表示エリア画像内に、前記アイコン表示エリア画像が移動表示される際の移動の方向とは異なる方向に沿って第一の数の前記下位階層アイコンを表示する請求項１記載の携帯端末。
【請求項３】
前記制御部は、前記表示部に表示された一の前記アイコン表示エリア画像上の前記操作面が前記接触物により接触された状態で、前記下位階層アイコンが表示された方向に沿って移動する動作を前記入力部が検出した場合、前記操作面を介して接触された前記アイコン表示エリア画像に前記第一の数より大きい第二の数の前記下位階層アイコンを前記表示部に表示させる請求項２記載の携帯端末。
【請求項４】
前記制御部は、前記表示部に表示された一の前記下位階層アイコン上の前記操作面が前記接触物により接触された状態で所定時間経過したことを前記入力部が検出した場合、前記下位階層アイコンを拡大表示させる請求項２または３記載の携帯端末。
【請求項５】
前記制御部は、前記表示部に表示された前記アイコン表示エリア画像を一つ移動表示させる毎に、前記軸回りに180度回転させる請求項１記載の携帯端末。
【国際調査報告】
2010137121.tif 000038
2010137121.tif 000039